(57)【要約】【課題】ハードディスクが個別に活栓挿抜可能でかつ、外形寸法の異なるハードディスクを搭載可能にする場合、バックプレーンの違い、大きさの違いにより、ハードディスクケージを複数種類用意し、ハードディスクケージを搭載するために大きさの違いを補完する金具や、開口を塞ぐ部品が必要になり、部品点数が増大し、情報処理装置を設置後に大きさの異なるハードディスクへの交換が容易にできない。【解決手段】本発明は、ハードディスクケージの構成部品変更せずに、バックプレーンの固定位置が変更可能かつ、バックプレーンの固定位置を変更することによりハードディスクの搭載領域の幅を同時に変化させることのできる構成を採用した。【選択図】  図１
2011081464.tif 000002
【特許請求の範囲】
【請求項１】
ハードディスクケージの１面に回転可能な節を少なくとも２点有し、ハードディスクケージを構成する部品を変更することなく、バックプレーンの固定位置を変更可能かつ、バックプレーンの固定位置を変更することによりハードディスクの搭載領域の幅が変化することを特徴とするハードディスクケージ。
【請求項２】
請求項１に記載のハードディスクケージであって、回転可能な節を両端にもつ部品に開口を有することを特徴とするハードディスクケージ。
【請求項３】
請求項１に記載のハードディスクケージであって、回転可能な節を両端にもつ部品に外装処理を有することを特徴とするハードディスクケージ。
【請求項４】
請求項１または請求項２または請求項３に記載のハードディスクケージに搭載するハードディスクキャリアにおいて、該ハードディスクケージに対するロックレバーのロック位置が一定でハードディスクキャリア上のロックレバーを固定するためのハウジングを有し、該ハウジングにより搭載ハードディスク上のコネクタとバックプレーン上のコネクタのかん合距離を決定する事を特徴とするハードディスクキャリア。
【発明の詳細な説明】
【技術分野】
【０００１】
本発明は、バックプレーンを有するハードディスクケージに関するものである。
【背景技術】
【０００２】
情報処理装置に搭載される記憶装置は多種あるが、サーバ分野では交換を容易に短時間で行うことを目的に、バックプレーンを使用し活栓挿抜に対応したハードディスクが多く使用されている。当該ハードディスクは、比較的安価に記憶容量を大きくできる３．５インチハードディスクが主流だが、近年、低消費電力や、小型で搭載台数を多くすることを目的に２．５インチハードディスクの搭載が増加しており、目的に応じて外形寸法の異なる大小２種のハードディスクを搭載する必要がある。
【０００３】
多種なドライブを搭載する方法として特許文献２、３などがある。
【０００４】
またドライブが個別に活栓挿抜が可能で、交換が容易な方法としては特許文献１などがある。
【先行技術文献】
【特許文献】
【０００５】
【特許文献１】特開２００６−１７２００２号広報
【特許文献２】特開平１０−３２６９８２号広報
【特許文献３】特開平６−８４３３８号広報
【発明の概要】
【発明が解決しようとする課題】
【０００６】
ハードディスクが個別に活栓挿抜可能でかつ、外形寸法の異なるハードディスクを搭載可能にする場合、バックプレーンの違い、大きさの違いにより、ハードディスクケージを複数種類用意し、ハードディスクケージを搭載するために大きさの違いを補完する金具や、開口を塞ぐ部品が必要になり、部品点数が増大し、情報処理装置を設置後に大きさの異なるハードディスクへの交換が容易にできない。
【０００７】
本発明の目的は、外形寸法の異なるハードディスクを構成部品の変更なく、搭載可能にするハードディスクケージを提供することにある。
【課題を解決するための手段】
【０００８】
本発明は、ハードディスクケージの構成部品変更せずに、バックプレーンの固定位置が変更可能かつ、バックプレーンの固定位置を変更することによりハードディスクの搭載領域の幅を同時に変化させることのできる構成を採用した。
【発明の効果】
【０００９】
本発明は、バックプレーンの固定位置の変更と同時にハードディスクの搭載領域の幅が変化するため、大きさの異なるハードディスクをハードディスクケージの構成部品を変更せずに搭載できる利点がある。
【００１０】
ハードディスクケージの前面の外形寸法が変化しないため、ハードディスクケージを固定するケースの変更なく大きさの異なるハードディスクへ交換ができる利点がある。
【００１１】
大きさの異なるハードディスクを搭載する場合に、部品を追加することなく、ハードディスクケージの構成部品で、ハードディスクケージを固定するケースの開口を塞ぐことができる利点がある。
【図面の簡単な説明】
【００１２】
【図１】実施例１に係わる斜視図である。
【図２】実施例２に係わる斜視図である。
【図３】実施例３に係わる斜視図である。
【図４】実施例４に係わる斜視図である。
【発明を実施するための形態】
【００１３】
本発明の一実施の形態を、以下、図面を用いて詳細に説明する。なお、本実施形態は、大きさの異なるハードディスクをハードディスクケージの構成部品を変更することなく搭載することを実現した。
【実施例１】
【００１４】
図１は本発明の1実施例であって、ハードディスクケージのベース１０１に前トップカバー１０２が回転軸１０８の位置で回転可能な例えばピボット締結されたリベットや、ピンなどで固定されている。後トップカバー１０３は前トップカバー１０２と回転軸１０９の位置で回転可能な例えばピボット締結されたリベットや、ピン、ヒンジなどで固定されている。後トップカバー１０３はベース１０１に対し固定場所を少なくとも２箇所以上変更可能な方法たとえばネジなどで固定されており、バックプレート固定金具１０４は後トップカバー１０３とベース１０１にそれぞれに対し、固定場所を少なくとも２箇所以上変更可能な方法たとえばネジなどで固定されている。このように構成されたハードディスクケージにおて前トップカバー１０２を回転させることにより後トップカバー１０３とベース１０１の距離つまりハードディスクの搭載領域の幅を変化させることができる。
【００１５】
例えば、前トップカバー１０２を回転させハードディスクの搭載領域の幅を小さくすると、バックプレート固定金具１０４がベース１０１の前方に移動されハードディスクの搭載領域は幅と共に奥行きも小さくすることができる。また、前トップカバー１０２を回転させハードディスクの搭載領域の幅を大きくすると、バックプレート固定金具１０４がベース１０１の後方に移動されハードディスクの搭載領域は幅と共に奥行きも大きくすることができ、大きさの異なるハードディスクをハードディスクケージの構成部品を変更することなく搭載できる。また、ハードディスクケージの前面の外形は変化しないため、ハードディスクケージを搭載するケースの開口も一定でよくハードディスクの大きさの違いによる部品の追加が必要ない。
【００１６】
ハードディスクキャリアの挿抜のためのレールガイド１０７は、ベース１０１と後トップカバー１０３に設置すればよい。
【実施例２】
【００１７】
図２は本発明の１実施例であって、上記ハードディスクケージの前トップカバー１０２に冷却風のための吸気口２０１を設けることにより、前トップカバー１０２を垂直に固定した場合、つまり小型のハードディスクを搭載する場合に、本発明のハードディスクケージを用いることにより、部品を追加することなく冷却風の吸気口を追加することができ、冷却効率を向上させることができる。小型ハードディスクの低消費電力の特性と本発明のハードディスクケージによる冷却効率の向上によりこれらを搭載する情報処理装置の低騒音化も期待できる。
【実施例３】
【００１８】
図３は本発明の１実施例であって、上記ハードディスクケージの前トップカバー１０２を垂直に設置した場合の前面３０１、前トップカバーを水平に設置した場合の下面３０１を外装面たとえば塗装などの処理を施したものである。大きさの異なるハードディスクを搭載する場合、ハードディスクの大きさの違いにより小型のハードディスクを搭載する際に開口部分を埋める外装カバーが必要であるが、本実施例では、ハードディスクケージの構成部品で外装カバーを設けることができるため、部品を追加することなくかつ外観を損ねることなく大きさの異なるハードディスクを搭載することができる。
【実施例４】
【００１９】
図４は本発明の１実施例である。前トップカバー１０２を回転させることによりハードディスク搭載幅４０１がハードディスク搭載幅４０２まで変化する。その際、バックプレーン固定金具１０４はバックプレート移動距離４０３だけ移動する。この縦と横の移動距離はほぼ同じであるが、大きさの異なるハードディスクの縦と横の大きさの差は同一ではなく、バックプレートとハードディスクの距離が同じ場合は、ハードディスク前面側の位置は異なってくる。そこで、ハードディスクキャリアのハウジング４０６、４０７に対するハードディスクの固定位置とロックレバー４０４、４０５の固定位置を変えることにより、ロック位置４０８、４０９をベース１０１の同じ位置にすることができ、ハードディスクの大きさが異なる場合でもロックレバーの位置を同じ位置に設けることができる。そうすることにより、ハードディックケージ及びハードディスクケージを固定するケースを変更することなく、外観および操作性を損なうことなく大きさの異なるハードディスクを搭載することができる。
【符号の説明】
【００２０】
１０１  ベース
１０２  前トップカバー
１０３  後トップカバー
１０４  バックプレート固定金具
１０５  バックプレート
１０６  バックプレート
１０７  レールガイド
１０８  回転軸
１０９  回転軸
２０１  吸気口
３０１  外装面
４０１  ハードディスク搭載幅
４０２  ハードディスク搭載幅
４０３  バックプレート移動距離
４０４  ロックレバー
４０５  ロックレバー
４０６  ハウジング
４０７  ハウジング
４０８  ロック位置
４０９  ロック位置
【図１】
2011081464.tif 000003
【図２】
2011081464.tif 000004
【図３】
2011081464.tif 000005
【図４】
2011081464.tif 000006